(57)【要約】【課題】  美術館や博物館で絵画等を展示する際、展示物に適した広さの壁面や展示物間の間隔を任意に設定できる壁面架設パネルとした。【解決手段】可動間仕切りの壁面にピクチャーレールを水平状に埋設し、長方形状の架設パネルの背面に水平状の切り込みを刻設し、パネル吊り金具で複数個の架設パネルを切り込みに挿入して吊り下げ、壁面のピクチャーレールに挿入して吊り下げるようにした壁面架設パネルとした。【選択図】  図３
2008088697.tif 000002
【特許請求の範囲】
【請求項１】
可動間仕切りの壁面にピクチャーレールを水平状に埋設し、長方形状の架設パネルの背面に水平状の切り込みを刻設し、パネル吊り金具で複数個の架設パネルを切り込みに挿入して吊り下げ、壁面のピクチャーレールに挿入して吊り下げるようにした壁面架設パネル。
【請求項２】
切り込みを上下２段に刻設した架設パネルである請求項１記載の壁面架設パネル。
【請求項３】
上下端面、両側端面に、隣接する架設パネルと連結するマグネットを設けた請求項１記載の壁面架設パネル。
【発明の詳細な説明】
【技術分野】
【０００１】
本発明は、美術館や博物館で絵画等を展示する壁面架設パネルに関するものである。
【背景技術】
【０００２】
美術館や博物館で絵画等を展示する際、展示物に適した広さの壁面や展示物間の間隔を任意に設定することが難しいとされている。
【特許文献１】特開２００３−１７６５８８号公報
【発明の開示】
【発明が解決しようとする課題】
【０００３】
美術館や博物館で絵画等を展示する際に、展示物に適した広さの壁面や展示物間の間隔を任意に設定できるようにすることが求められている。
【課題を解決するための手段】
【０００４】
本発明は、上記の事情に鑑み、美術館や博物館で絵画等を展示する際、展示物に適した広さの壁面や展示物間の間隔を任意に設定できるようにすべく、可動間仕切りの壁面にピクチャーレールを水平状に埋設し、長方形状の架設パネルの背面に水平状の切り込みを刻設し、パネル吊り金具で複数個の架設パネルを切り込みに挿入して吊り下げ、壁面のピクチャーレールに挿入して吊り下げるようにした壁面架設パネルとした。
【０００５】
また、本発明は、具体的には、切り込みを上下２段に刻設した架設パネルである。
【０００６】
さらに、本発明は、具体的には、上下端面、両側端面に、隣接する架設パネルと連結するマグネットを設けた壁面架設パネルである。
【発明の効果】
【０００７】
本発明は、可動間仕切りの壁面にピクチャーレールを水平状に埋設し、長方形状の架設パネルの背面に水平状の切り込みを刻設し、パネル吊り金具で複数個の架設パネルを切り込みに挿入して吊り下げ、壁面のピクチャーレールに挿入して吊り下げるようにした壁面架設パネルとしたので、美術館や博物館で絵画等を展示する際、展示物に適した広さの壁面や展示物間の間隔を任意に設定できる。
【０００８】
また、本発明は、具体的には、切り込みを上下２段に刻設した。
【０００９】
さらに、本発明は、具体的には、上下端面、両側端面に、隣接する架設パネルと連結するマグネットを設けた。
【発明を実施するための最良の形態】
【００１０】
本発明を添付する図面に示す具体的な実施例に基づいて、以下詳細に説明する。
【００１１】
美術館や博物館で、絵画等の展示物を適した広さの壁面や展示物間の間隔を任意に設定できるようにするために、図１に示す可動間仕切り（大型可動パネル）１を設ける。
【００１２】
この可動間仕切り１の壁面２にピクチャーレール３を埋設し、パネル吊り金具４を介して長方形状の架設パネル５を吊り下げる。
【００１３】
図２に架設パネル５とパネル吊り金具４とピクチャーレール３との分解斜視図を示す。      
【００１４】
図３にピクチャーレール３、パネル吊り金具４、架設パネル５の詳細断面図を示す。
【００１５】
ピクチャーレール３はアルミ押出形材で、同一断面が長手方向に連なるもので、通常、レール溝６にフック部材を嵌め、フック部材に絵画等の展示物が吊り下げられ、使用される。
【００１６】
本発明では、このピクチャーレール３は、そのレール溝６にパネル吊り金具４を摺動自在に設ける。
【００１７】
架設パネル５は、合板７に木製の上部吊り下げ用横桟８及び木製の上部横桟９を切り込み１８を介在させて固着し、木製の下部吊り下げ用横桟１５と木製の下部横桟１６との間には切り込み１８を設け、外面は織物クロス１０で覆わせる。上部吊り下げ用横桟８は先尖り状三角形断面に形成して、パネル吊り金具４で吊り下げできるように形成する。
【００１８】
パネル吊り金具４は、ステンレス製板で、垂直基片１１下端から前記上部吊り下げ用横桟８の尖り状三角形断面を支持できるように、上向き斜辺１２を突設し、垂直基片１１上端からピクチャーレール３の支持片１３を覆う覆い１４を設ける。図２には下部吊り下げ用横桟１５、下部横桟１６が切り込み１８を介在して設けてある。
【００１９】
図４は、架設パネル５にパネル吊り金具４によりピクチャーレール３に組み付けた状態の斜視図を示す。
【００２０】
図５は、架設パネル５を下部吊り下げ用横桟１５を用いてパネル吊り金具４によりピクチャーレール３に装着した状態の縦断面図である。
【００２１】
本発明では、隣接する架設パネル５と隙間なく連結できるように上下端面、両側端面にマグネット１７を埋設する。
【００２２】
上述の架設パネル５は縦吊り用として横桟等が示されているが、横吊り用として用いることもできる。その時にはそれに応じた横桟等を設けなければならない。
【００２３】
他の実施例の架設パネルを図６、図７、図８に示す。図６はその正面図、図７は背面図、側面図、下面図の３面図、第８図は断面図である。
【００２４】
合板７に水平状の木製の上部吊り下げ用横桟８と木製の上部横桟９とを切り込み１８を介在させて固着し、水平状の木製の下部吊り下げ用横桟１５と木製の下部横桟１６とを切り込み１８を介在させて固着し、最下部には水平状の木製の最下部横桟１９を固着する。外周側辺には横吊り用の縦桟２１を中間部には中間部縦桟２２をそれぞれ固着する。その外周には織物クロス１０を貼り付ける。
【００２５】
隣接する架設パネル５と隙間なく連結できるように上下端面、両側端面にマグネット１７を埋設する。
【００２６】
この架設パネル５の内面には傷防止用パッチ２３が埋設してある。
【００２７】
以下、本発明の実施要領を示す。
【００２８】
図９では、可動間仕切り１の上部と中間部にピクチャーレール３を水平状に埋設しておく。
【００２９】
中間部のピクチャーレール３にパネル吊り金具４を介して架設パネル５の上部吊り下げ用横桟８を吊り下げる。この際、架設パネル５の端面にマグネット１７が埋設してあるので、隣接する架設パネル５との間に隙間なく連結できる。
【００３０】
架設パネル５表面には、例えば公募展向け絵画等の展示物を貼り付けることができる。      
【００３１】
図１０では、図９と同様に上部と中間部にピクチャーレール３を水平状に埋設しておく。
【００３２】
中間部のピクチャーレール３にパネル吊り金具４を介して、架設パネル５の下部吊り下げ用横桟１５を吊り下げ、架設パネル５を図９の場合より可動間仕切り１の上部に配置できる。
【００３３】
図１１では、図１０の架設パネル５の配置に加え、その下部に架設パネル５を横方向に配置して、可動間仕切り１の最下段隙間を隠す役割の化粧材としての設置ができる。
【実施例１】
【００３４】
可動間仕切りは４８００ｍｍ×５８００ｍｍ、架設パネルは９００ｍｍ×１８００ｍｍ、厚さ２６ｍｍ、ピクチャーレール２３ｍｍ×３５ｍｍ×８３０ｍｍ、パネル受金具３０．５ｍｍ×３６ｍｍ×８３０ｍｍである。
【産業上の利用可能性】
【００３５】
本発明は、展示物用の壁面パネルとして述べたが、一般の間仕切りとしても利用できる。
【図面の簡単な説明】
【００３６】
【図１】本発明の架設パネルを、上部吊り下げ用横桟を用いてパネル吊り金具によりピクチャーレールに装着した状態の縦断面図である。
【図２】本発明の架設パネルと、パネル吊り金具とピクチャーレールとの分解斜視図である。
【図３】ピクチャーレール、パネル吊り金具、架設パネルの詳細断面図である。
【図４】本発明の架設パネルに、パネル吊り金具によりピクチャーレールに組み付けた状態の斜視図である。
【図５】本発明の架設パネルを、下部吊り下げ用横桟を用いてパネル吊り金具によりピクチャーレールに装着した状態の縦断面図である。
【図６】他の実施例の架設パネルの正面図である。
【図７】他の実施例の架設パネルの背面図、側面図下面図の３面図である。
【図８】他の実施例の架設パネルの断面図である。
【図９】可動間仕切りの上部と中間部にピクチャーレールを水平状に埋設し架設パネルを下方に配置した正面図である。
【図１０】可動間仕切りの上部と中間部にピクチャーレールを水平状に埋設し架設パネルを上方に配置した正面図である。
【図１１】可動間仕切りの上部と中間部にピクチャーレールを水平状に埋設し架設パネルを上方に配置し、下部に最下段隙間を隠す役割の化粧材として架設パネルを横置きした状態の正面図である。
【符号の説明】
【００３７】
１…可動間仕切り
２…壁面
３…ピクチャーレール
５…架設パネル
４…パネル吊り金具
１７…マグネット
【図１】
2008088697.tif 000003
【図２】
2008088697.tif 000004
【図３】
2008088697.tif 000005
【図４】
2008088697.tif 000006
【図５】
2008088697.tif 000007
【図６】
2008088697.tif 000008
【図７】
2008088697.tif 000009
【図８】
2008088697.tif 000010
【図９】
2008088697.tif 000011
【図１０】
2008088697.tif 000012
【図１１】
2008088697.tif 000013